(57)【要約】      （修正有）【課題】容器本体に対して提げ手用の挿通孔を形成することなく、また、容器本体に対する提げ手の脱着が容易な容器本体と提げ手との連結構造を提供する。【解決手段】容器本体と提げ手との連結構造は、対向する一対の平面よりなる側面にそれぞれ提げ手取付部を有する容器本体Ａに対し、前記提げ手取付部同士を架け渡して取着される提げ手Ｂの連結構造であって、提げ手Ｂは半円以上の大きさの板状の取着端部９１，９２を有し、提げ手取付部は、前記取着端部が回転自在となる取付領域Ｃ，Ｄと、帯状提げ手部が左右に所定角度揺動する遊び領域と、取着端部の左右を押さえる押さえ部Ｃ１，Ｃ２，Ｄ１，Ｄ２とを有し、提げ手の取着端部を取付領域内に取り付けることにより容器本体に対して取着端部及びこれに連結された帯状提げ手部が所定の角度回転可能となるように構成したものである。【選択図】図９
2010149896.tif 000002
【特許請求の範囲】
【請求項１】
対向する一対の平面よりなる側面にそれぞれ提げ手取付部を有する容器本体に対し、前記提げ手取付部同士を架け渡して取着される提げ手の連結構造であって、
前記提げ手は、帯状提げ手部と、その両端に設けられ、帯状提げ手部の幅よりも拡大する方向に広がる半円以上の大きさの板状の取着端部とからなり、
前記提げ手取付部は、前記取着端部が回転自在となる取付領域と、帯状提げ手部が左右に所定角度揺動する遊び領域と、取着端部の左右を押さえる押さえ部とを有し、
提げ手の取着端部を押さえ部の内側に位置するようにして取付領域内に取り付けることにより容器本体に対して取着端部及びこれに連結された帯状提げ手部が所定の角度回転可能となるように構成した、
ことを特徴とする容器本体と提げ手との連結構造。
【請求項２】
対向する一対の平面よりなる側面にそれぞれ提げ手取付部を有する容器本体に対し、前記提げ手取付部同士を架け渡して取着される提げ手の連結構造であって、
前記提げ手は、帯状提げ手部と、その両端に設けられ、帯状提げ手部の幅よりも拡大する方向に広がる半円以上の大きさの板状の取着端部とからなり、
前記提げ手取付部は、前記取着端部が回転自在となる取付領域と、帯状提げ手部が左右に所定角度揺動する遊び領域と、取着端部の左右を押さえる押さえ部とを有し、
前記取付領域は、取着端部の直径以上の円形であって、その上部には取着端部が上方に抜け出すのを防止する抜け出し制止部が備えられ、該取付領域の下部には下方に抜け落ちるのを防止する脱落防止部が備えられると共に取着端部が挿入可能な隙間領域が備えられてなり、
提げ手の取着端部を押さえ部の内側に位置するようにして取付領域内に取り付けることにより容器本体に対して取着端部及びこれに連結された帯状提げ手部が所定の角度回転可能となるように構成した、
ことを特徴とする容器本体と提げ手との連結構造。
【請求項３】
容器本体及び提げ手が紙製であることを特徴とする請求項１又は２に記載の容器本体と提げ手との連結構造。
【発明の詳細な説明】
【技術分野】
【０００１】
本発明は、食料品や嗜好品等の食品、服飾小物や雑貨などの小物類その他の物品を収納して携行可能な提げ手付き容器における容器本体と提げ手の連結構造に関する。
【背景技術】
【０００２】
従来より、下記特許文献１に示されるように、底板をなす矩形を囲む折り線及び該折り線の交点から容器の側面部と隅角部の連接部とを区画形成するための折り線を紙上に形成し、その一方の対向側面部の先端縁辺には折り線を介して折り返し被覆縁部を延設形成し、かつ、その折り返し被覆縁部と連接部とに提げ手挿通孔を設け、前記の折り線に従って、折り曲げ容器状に立体化し、この状態で前記の提げ手挿通孔をそれぞれ重ね合わせて、提げ手挿通孔に紙製帯紐を挿通してなる提げ手付き紙製容器が知られている。
【０００３】
また、特許文献２に示されるように、展開状態のシート材を立体形状の紙製容器（角筒体）に組立てた後、組立てた紙製容器にひも状の提げ手部材を取付けて立体形状を固定するように構成した提げ手付き紙製容器が知られている。
【０００４】
さらに、特許文献３に示されるように、底面開口のストッパー付きのヒンジ式開閉蓋体と、天面開口の箱体本体とからなる紙箱容器を形成し、箱体本体の側面を形成する４面中、蓋体を形成する面と隣り合わない３面の箱体上縁部から、該箱体上縁部に近い部位を屈曲形成してなる補強板を各々延設して箱体内側へ折り曲げ、箱体上縁部の天面周縁の厚み部分と、この部分に対応する開閉蓋体の内面部位である封印接着部を、接着剤により相互に接着した提げ手付き紙箱容器が知られている。
【特許文献１】特開２００６−１２４０１４号公報
【特許文献２】特開２００４−５１１５５号公報
【特許文献３】特開２００４−１８１１４号公報
【発明の開示】
【発明が解決しようとする課題】
【０００５】
しかしながら、上記特許文献１〜３に示されるものは、容器本体と提げ手の連結構造において、提げ手の端部を挿通させる孔を容器本体に設けているため、提げ手を繰り返し回転すると提げ手の容器本体に対する連結部分が脆弱化するおそれがあり、容器本体に対する提げ手の脱着が面倒である等の難点があった。
【０００６】
そこで、本発明者は、鋭意研究を重ねた結果、容器本体に対して提げ手用の挿通孔を形成することなく、また、容器本体に対する提げ手の脱着が容易な容器本体と提げ手との連結構造を案出した。
【課題を解決するための手段】
【０００７】
本発明に係る容器本体と提げ手との連結構造は、対向する一対の平面よりなる側面にそれぞれ提げ手取付部を有する容器本体に対し、前記提げ手取付部同士を架け渡して取着される提げ手の連結構造であって、前記提げ手は、帯状提げ手部と、その両端に設けられ、帯状提げ手部の幅よりも拡大する方向に広がる板状の取着端部とからなり、前記提げ手取付部は、前記取着端部が回転自在となる取付領域と帯状提げ手部が左右に所定角度揺動する遊び領域と取着端部の左右を押さえる押さえ部とを有し、さらに詳細には前記取付領域の上部には取着端部が上方に抜け出すのを防止する抜け出し制止部が備えられ、該取付領域の下部には下方に抜け落ちるのを防止する脱落防止部が備えられてなり、提げ手の取着端部を押さえ部の内側に位置するようにして取付領域内に取り付けることにより容器本体に対して取着端部及びこれに連結された帯状提げ手部が所定の角度回転可能となるように構成したことを特徴とするものである。また、この連結構造においては、容器本体と提げ手の全てが紙製であってもよい。
【０００８】
上記のように構成したことにより、取付領域における隙間領域から提げ手の取着端部を挿入して容器本体に提げ手を取り付けることができ、逆の操作により容器本体から提げ手を取り外すことができる。また、取付領域に提げ手の取着端部が嵌り込み、押さえ部により取着端部が押さえられることにより取着端部が容器本体に取り付けられ、遊び領域において帯状提げ手部が左右に所定角度揺動するので、取着端部が容器本体に対して所定角度回転可能であり、かつ、脱落しない。
【発明の効果】
【０００９】
本発明に係る容器本体と提げ手との連結構造は、容器本体に提げ手用の挿通孔を設けなくても提げ手を取り付けることができ、また、容器本体に対して提げ手が回転可能であり、さらに、容器本体に対して提げ手の脱着が容易であり、容器本体と提げ手の全てが紙製であっても容器本体との提げ手との連結部分が脆弱化しない利点がある。
【発明を実施するための最良の形態】
【００１０】
以下、本発明に係る容器本体と提げ手との連結構造について好適な実施例を添付の図面に基づいて詳細に説明する。
【実施例１】
【００１１】
図１〜図９は実施例１に係る図であって、図１は容器本体の展開状態を示す斜視図であり、図２は提げ手の斜視図であり、図３は容器本体の第一の組立状態を示す斜視図であり、図４は容器本体の第二の組立状態を示す斜視図であり、図５は容器本体の第三の組立状態を示す斜視図であり、図６は組み立てた状態の容器本体に提げ手を取り付けようとする状態を示す斜視図であり、図７は容器本体の提げ手取付部に提げ手の取着端部を挿入する状態を示す側面図であり、図８は容器本体の提げ手取付部に提げ手の取着端部が嵌め込まれた状態を示す側面図であり、図９は容器本体に提げ手を取り付けた提げ手付き容器の完成図である。
【００１２】
実施例１に係る容器本体及び提げ手は紙製で形成されており、図１に示す展開状態のシートＡを組み立てて容器本体Ａ（形態が変形するだけであるため同一符号を付す）を構成し、組み立てた容器本体Ａの一部を利用して提げ手取付部を形成するものである。なお、容器本体及び提げ手は、紙製に限られるものではなく、合成樹脂製や紙と合成樹脂シートの積層シートや紙と合成樹脂とを混合したシートなどで容器本体及び提げ手を構成してもよい。なお、全て紙製で形成すると、廃棄や再生処理が行いやすい利点がある。
【００１３】
まず、図１に示す容器本体の展開図について説明する。図１において、容器本体に組み立てたときに底面をなす底面部１０が折線ａ１，ｂ１，ｃ１，ｄ１を四辺とする矩形状に形成されている。各折線ａ１，ｂ１，ｃ１，ｄ１にはそれぞれ容器本体に組み立てたときに側面をなす側面部１１，１２，１３，１４が延設されている。また、各側面部１１，１２，１３，１４から外方へそれぞれ折線ａ２，ｂ２，ｃ２，ｄ２を介して、容器本体に組み立てたときに開閉蓋となる蓋部２１，２２，２３，２４が延設されている。さらに隣り合う側面部１１，１２の間は中間部１５により連続しており、隣り合う側面部１２，１３の間に中間部１６により連続しており、隣り合う側面部１３，１４の間は中間部１７により連続しており、隣り合う側面部１４，１１の間は中間部１８により連続している。
【００１４】
前記側面部１１は折線ａ１と折線ａ２及び左右の側辺をなす折線ａ３，ａ４で区画された部分であり、側面部１１に対向する側面部１３は折線ｃ１と折線ｃ２及び左右の側辺をなす折線ｃ３，ｃ４で区画された部分である。また、側面部１２は折線ｂ１と折線ｂ２及び２つの側辺をなす折線ｂ３，ｂ４で区画された部分であり、側面部１３に対向する側面部１４は折線ｄ１と折線ｄ２及び２つの側辺をなす折線ｄ３，ｄ４で区画された部分である。前記４つの側面部１１，１２，１３，１４は、側辺なす折線ａ３，ａ４，ｂ３，ｂ４，ｃ３，ｃ４，ｄ３，ｄ４の長さがいずれも等しく、折線ａ１，ｂ１，ｃ１，ｄ１を下辺とし、折線ａ２，ｂ２，ｃ２，ｄ２を上辺とする逆台形状をなしている。
【００１５】
前記中間部１５には底面部１０の隅角部１０ａから中間部１５の外縁部中央の先端１５ｐまで折線ａ５が配され、該折線ａ５によって左右対称に折込部１５ａ，１５ｂが形成され、折込部１５ｂには先端１５ｐから折線ａ５に沿って内方に少し入った位置に半円状切欠部１５ｃと該半円状切欠部１５ｃに連続してさらに内方に長孔１５ｄが形成されている。前記中間部１６には底面部１０の隅角部１０ｂから中間部１６の外縁部中央の先端１６ｐまで折線ｂ５が配され、該折線ｂ５によって左右対称に折込部１６ａ，１６ｂが形成され、折込部１６ｂには先端１６ｐから折線ｂ５に沿って内方に少し入った位置に半円状切欠部１６ｃと該半円状切欠部１６ｃに連続してさらに内方に長孔１６ｄが形成されている。前記中間部１７には底面部１０の隅角部１０ｃから中間部１７の外縁部中央の先端１７ｐまで折線ｃ５が配され、該折線ｃ５によって左右対称に折込部１７ａ，１７ｂが形成され、折込部１７ｂには先端１７ｐから折線ｃ５に沿って内方に少し入った位置に半円状切欠部１７ｃと該半円状切欠部１７ｃに連続してさらに内方に長孔１７ｄが形成されている。前記中間部１８には底面部１０の隅角部１０ｄから中間部１８の外縁部中央の先端１８ｐまで折線ｄ５が配され、該折線ｄ５によって左右対称に折込部１８ａ，１８ｂが形成され、折込部１８ｂには先端１８ｐから折線ｄ５に沿って内方に少し入った位置に半円状切欠部１８ｃと該半円状切欠部１８ｃに連続してさらに内方に長孔１８ｄが形成されている。そして、前記半円状切欠部１５ｃ，１６ｃ，１７ｃ，１８ｃ及び長孔１５ｄ，１６ｄ，１７ｄ，１８ｄにより後述するように提げ手取付部が形成されることになる。
【００１６】
蓋部２４には半円状に切欠した係止片２４ａが形成され、蓋部２４に対向する蓋部２２には該係止片２４ａが挿通可能な切込２２ａが形成され、係止片２４ａを切込２２ａに挿通して引っ掛けることにより蓋部２２の上に蓋部２４が重なった状態で容器本体が閉塞されるようになっている。
【００１７】
なお、容器本体Ａの形状は、上記のものに限られるものではなく、対向する一対の平面よりなる側面部を備え、該側面部にそれぞれ提げ手取付部を有する形状であれば、直方体形状や多面体形状であってもよく、さらに他の側面が曲面でもあってもよい。
【００１８】
図２に示す提げ手Ｂは、やや長尺で中央に向かって漸次若干幅広となる帯状提げ手部９０と、その両端に設けられた板状の取着端部９１，９２とからなるものである。取着端部９１，９２は、帯状提げ手部９０の幅よりも拡大する方向に広がる円形状をなしている。なお、この取着端部は、円形状のものに限られるものではなく、帯状提げ手部の幅よりも拡大する方向に広がる形状であればよく、半円状のものでも使用可能である。
【００１９】
次に、図３〜図６を参照しつつ展開状態のシートＡから組立てられる立体形状の容器本体Ａについて説明する。図３に示すように、まず、展開状態のシートＡの矩形状の底面部１０の各辺に相当する折線ａ１，ｂ１，ｃ１，ｄ１に沿って谷折りに折り曲げると共に中間部１５，１６，１７，１８の折線ａ５，ｂ５，ｃ５，ｄ５に沿って山折りに折り曲げ、かつ、側面部１１，１２，１３，１４と蓋部２１，２２，２３，２４との境界である折線ａ２，ｂ２，ｃ２，ｄ２を谷折りに折り曲げる。そして、図４に示すように、側面部１１，１３を底面部１０に対して直立させ、蓋部２１を下にし、蓋部２３を上にして重ね合わせる。次に図５に示すように、側面部１２，１４を底面部１０に対して直立させ、蓋部２２を下にし、蓋部２４を上にして重ね合わせ、蓋部２４の係止片２４ａを蓋部２２の切込２２ａに挿通して引っ掛けて容器本体Ａを閉塞すると共に、折込部１５ａ，１５ｂ、折込部１６ａ，１６ｂ、折込部１７ａ，１７ｂ、折込部１８ａ，１８ｂをそれぞれ二つ折りに重ね合わせて、図６に示すように、側面部１１上に折込部１５ａ，１８ａを貼着し、側面部１３上に折込部１６ａ，１７ａを貼着して容器本体Ａを完成させると、半円状切欠部１５ｃ，１６ｃ，１７ｃ，１８ｃ及び長孔１５ｄ，１６ｄ，１７ｄ，１８ｄにより提げ手取付部Ｃ，Ｄが形成され、提げ手Ｂを図７及び図８に示す手順で取り付ける。
【００２０】
すなわち、提げ手取付部Ｃ，Ｄは、前記取着端部９１，９２が回転自在となる取付領域と、帯状提げ手部９０が左右に所定角度揺動する遊び領域と、前記取着端部９１，９２の左右を押さえる押さえ部Ｃ１，Ｄ１，Ｃ２，Ｄ２とにより形成される。
【００２１】
前記取付領域は、折込部１５ａ，１５ｂ、折込部１６ａ，１６ｂ、折込部１７ａ，１７ｂ、折込部１８ａ，１８ｂを重ね合わせたことにより形成された隙間である。前記遊び領域は、側面部１１側における半円状切欠部１５ｃ，１８ｃ及び側面部１３側における半円状切欠部１６ｃ，１７ｃ，と切欠していない折込部１５ｂ，１８ｂ及び折込部１６ｂ，１７ｂとによりそれぞれ形成される円弧状段差部である。この円弧状段差部は前記取着端部９１，９２を形成する円とほぼ同一直径の円であって、取着端部９１，９２の直径より短い弦の円弧状に設計されている。前記押さえ部Ｃ１，Ｄ１，Ｃ２，Ｄ２は、半円状切欠部１５ｃと長孔１５ｄ、半円状切欠部１６ｃと長孔１６ｄ、半円状切欠部１７ｃと長孔１７ｄ、半円状切欠部１８ｃと長孔１８ｄによりそれぞれ形成される三角状突起である。長孔１５ｄと長孔１８ｄとの下端の間隔及び長孔１６ｄと長孔１７ｄとの下端の間隔は、それぞれ取着端部９１，９２の直径より短く設計されている。
【００２２】
上記のように提げ手取付部Ｃ，Ｄが形成されているため、図７に示すように、取着端部９１，９２をやや折り曲げることにより、幅を狭めて長孔１５ｄ，１８ｄ及び長孔１６ｄ，１７ｄにより形成される隙間から取付領域に挿入すると、図９に示す提げ手付容器の完成状態となる。この状態において、取付領域の上部に位置する円弧状段差部が前記取着端部９１，９２が素通りできない大きさであるため、取着端部が上方に抜け出すのを防止する抜け出し制止部の役目を果たす。また、取付領域の下部に位置する長孔１５ｄと長孔１８ｄとの下端の間隔及び長孔１６ｄと長孔１７ｄとの下端の間隔は、それぞれ取着端部９１，９２の直径より短いため、取着端部９１，９２が下方に抜け落ちるのを防止する脱落防止部の役目を果たす。さらに、三角状突起よりなる押さえ部Ｃ１，Ｄ１，Ｃ２，Ｄ２の上縁は、容器本体Ａに対して取着端部９１，９２及びこれに連結された帯状提げ手部９０を所定の角度回転させる役目を果たす。
【００２３】
なお、実施例１における提げ手取付部Ｃ，Ｄは、シートＡの中間部１５，１６，１７，１８を利用して構成したが、これに限られるものではなく、容器本体と別体のものとして２枚重ねの内部非接着の取着端部よりやや大きめの円板を取付領域とし、円板の上縁を取着端部の直径より小さい弦の円弧状に所定の角度開口することにより遊び領域とし、また、円板の下部を取着端部の直径より小さい弦の円弧状に切欠することにより、非切欠の部分を押さえ部とした構造のものを形成し、これを容器本体の対向する一対の平面よりなる側面に貼着して、提げ手の取着端部を取り付けてもよい。
【図面の簡単な説明】
【００２４】
【図１】実施例１に係る容器本体の展開状態を示す斜視図である。
【図２】実施例１に係る提げ手の斜視図である。
【図３】実施例１に係る容器本体の第一の組立状態を示す斜視図である。
【図４】実施例１に係る容器本体の第二の組立状態を示す斜視図である。
【図５】実施例１に係る容器本体の第三の組立状態を示す斜視図である。
【図６】実施例１に係る容器本体に提げ手を取り付けようとする状態を示す斜視図である。
【図７】実施例１に係る提げ手取付部に提げ手の取着端部を挿入する状態を示す側面図である。
【図８】実施例１に係る提げ手取付部に提げ手の取着端部が嵌め込まれた状態を示す側面図である。
【図９】実施例１に係る容器本体に提げ手を取り付けた提げ手付き容器の完成図である。
【符号の説明】
【００２５】
Ａ・・・・シート、容器本体
１０・・・底面部
１０ａ，１０ｂ，１０ｃ，１０ｄ・・・隅角部
ａ１，ａ２，ａ３，ａ４，ａ５・・・折線
ｂ１，ｂ２，ｂ３，ｂ４，ｂ５・・・折線
ｃ１，ｃ２，ｃ３，ｃ４，ｃ５・・・折線
ｄ１，ｄ２，ｄ３，ｄ４，ｄ５・・・折線
１１，１２，１３，１４・・・側面部
１５，１６，１７，１８・・・中間部
１５ａ，１５ｂ，１６ａ，１６ｂ，１７ａ，１７ｂ，１８ａ，１８ｂ・・・折込部
１５ｃ，１６ｃ，１７ｃ，１８ｃ・・・半円状切欠部
１５ｄ，１６ｄ，１７ｄ，１８ｄ・・・長孔
１５ｐ，１６ｐ，１７ｐ，１８ｐ・・・先端
２１，２２，２３，２４・・・蓋部
２２ａ・・・切込
２４ａ・・・係止片
Ｂ・・・・提げ手
９０・・・帯状提げ手部
９１，９２・・・・取着端部
Ｃ，Ｄ・・・・取付領域
Ｃ１，Ｄ１，Ｃ２，ｄ２・・・・押さえ部
【図１】
2010149896.tif 000003
【図２】
2010149896.tif 000004
【図３】
2010149896.tif 000005
【図４】
2010149896.tif 000006
【図５】
2010149896.tif 000007
【図６】
2010149896.tif 000008
【図７】
2010149896.tif 000009
【図８】
2010149896.tif 000010
【図９】
2010149896.tif 000011